【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
光電変換素子と、該光電変換素子からの信号を受ける信号増幅手段と、該信号増幅手段からの信号を受ける第１の入力端子と基準電圧を入力する第２の入力端子とを有する信号増幅アンプと、該信号増幅アンプの第２の入力端子に接続する基準電源と、を有する固体撮像装置において、
前記基準電源は前記信号増幅手段と同等の回路構成を含むことを特徴とする固体撮像装置。
【請求項２】
光電変換素子と、該光電変換素子からの信号を受ける第１のソースフォロワアンプと、該第１のソースフォロワアンプから出力された信号を受ける入力端子と基準電圧を入力する第２の入力端子とを有する信号増幅アンプと、該信号増幅アンプの第２の入力端子に接続する基準電源と、を有する固体撮像装置において、
前記第１のソースフォロワアンプは一導電型の入力トランジスタと負荷手段とからなり、前記基準電源は前記第１のソースフォロワアンプと同じ導電型の入力トランジスタと負荷手段とからなる第２のソースフォロワアンプを含むことを特徴とする固体撮像装置。
【請求項３】
光電変換素子と、該光電変換素子からの信号を受ける第１のソースフォロワアンプと、該第１のソースフォロワアンプから出力された信号を第１の転送トランジスタを介して受ける第１の保持容量と、該第１の保持容量に入力端子が接続した第２のソースフォロワアンプと、該第２のソースフォロワアンプから出力される信号を第２の転送トランジスタを介して受ける第２の保持容量と、前記第２のソースフォロワアンプから出力される信号を第３の転送トランジスタを介して受ける第３の保持容量と、前記第２保持容量に保持された信号を受ける第１の入力端子と基準電圧を入力する第２の入力端子を有する第１の信号増幅アンプと、前記第３保持容量に保持された信号を受ける第３の入力端子と基準電圧を入力する第４の入力端子を有する第２の信号増幅アンプと、前記第１及び第２の信号増幅アンプの第２の入力端子及び第４の入力端子に接続する基準電源とを有する固体撮像装置において、
前記第１及び第２のソースフォロワアンプの少なくとも一方は一導電型の入力トランジスタと負荷手段とからなり、前記基準電源は前記第１及び第２のソースフォロワアンプの少なくとも一方と同じ導電型の入力トランジスタと負荷手段とからなる第３のソースフォロワアンプを含むことを特徴とする固体撮像装置。
【請求項４】
前記基準電源が前記第２のソースフォロワアンプの出力を入力とするゲインアンプを含み、前記ゲインアンプの出力を前記信号増幅アンプの第２の入力端子に接続することを特徴とする請求項２に記載の固体撮像装置。
【請求項５】
前記基準電源が前記第３のソースフォロワアンプの出力を入力とするゲインアンプを含み、前記ゲインアンプの出力を前記第１及び第２の信号増幅アンプの第２及び第４の入力端子に接続することを特徴とする請求項３に記載の固体撮像装置。
【請求項６】
前記第２のソースフォロワアンプの入力端子に定電圧源が接続されていることを特徴とする請求項２又は４に記載の固体撮像装置。
【請求項７】
前記第３のソースフォロワアンプの入力端子に定電圧源が接続されていることを特徴とする請求項３又は５に記載の固体撮像装置。
【請求項８】
前記ゲインアンプが演算増幅器を含むことを特徴とする請求項４又は５に記載の固体撮像装置。
【請求項９】
前記信号増幅アンプのゲインをＧａとした時に前記ゲインアンプのゲインがおおよそＧａ／（Ｇａ−１）であることを特徴とする請求項４又は５に記載の固体撮像装置。
【請求項１０】
前記光電変換素子をリセットするために、第１のリセットトランジスタと、該第１のリセットトランジスタを介して前記光電変換素子の一端に接続する第１のリセット電源とを有し、かつ前記第２のソースフォロワアンプの入力端子に接続する第２のリセット電源とを有することを特徴とする請求項２に記載の固体撮像装置。
【請求項１１】
前記光電変換素子をリセットするために、第１のリセットトランジスタと、該第１のリセットトランジスタを介して前記光電変換素子の一端に接続する第１のリセット電源とを有し、かつ前記第３のソースフォロワアンプの入力端子に前記第１のリセットトランジスタと同一導電型の第２のリセットトランジスタと該第２のリセットトランジスタを介して接続する第２のリセット電源とを有することを特徴とする請求項３に記載の固体撮像装置。
【請求項１２】
前記第１のリセット電源と前記第２のリセット電源を共に電源電圧を抵抗分割することで形成したことを特徴とする請求項１０又は１１に記載の固体撮像装置。
【請求項１３】
請求項２に記載の固体撮像装置において、前記光電変換素子をリセットするために、第１のリセットトランジスタと、該第１のリセットトランジスタを介して前記光電変換素子の一端に接続する第１のリセット電源とを有し、かつ前記第２のソースフォロワアンプの入力端子に前記第１のリセットトランジスタと同一導電型の第２のリセットトランジスタと該第２のリセットトランジスタを介して接続する第２のリセット電源とを有する固体撮像装置の駆動方法であって、
前記第２のリセットトランジスタを前記ソースフォロワアンプから前記信号増幅アンプに信号を読み出す前に開閉する固体撮像装置の駆動方法。
【請求項１４】
請求項３に記載の固体撮像装置において、前記光電変換素子をリセットするために、第１のリセットトランジスタと、該第１のリセットトランジスタを介して前記光電変換素子の一端に接続する第１のリセット電源とを有し、かつ前記第３のソースフォロワアンプの入力端子に前記第１のリセットトランジスタと同一導電型の第２のリセットトランジスタと該第２のリセットトランジスタを介して接続する第２のリセット電源とを有する固体撮像装置の駆動方法であって、
前記第３のリセットトランジスタを前記ソースフォロワアンプから前記信号増幅アンプに信号を読み出す前に開閉する固体撮像装置の駆動方法。
【手続補正２】
【補正対象書類名】明細書
【補正対象項目名】０００９
【補正方法】変更
【補正の内容】
【０００９】
上記課題を解決するために、本発明の固体撮像装置は、光電変換素子と、該光電変換素子からの信号を受ける信号増幅手段と、該信号増幅手段からの信号を受ける第１の入力端子と基準電圧を入力する第２の入力端子とを有する信号増幅アンプと、該信号増幅アンプの第２の入力端子に接続する基準電源と、を有する固体撮像装置において、前記基準電源は前記信号増幅手段と同等の回路構成を含むことを特徴とする。
【手続補正３】
【補正対象書類名】明細書
【補正対象項目名】００１０
【補正方法】変更
【補正の内容】
【００１０】
また本発明の固体撮像装置は、光電変換素子と、該光電変換素子からの信号を受ける第１のソースフォロワアンプと、該第１のソースフォロワアンプから出力された信号を受ける入力端子と基準電圧を入力する第２の入力端子とを有する信号増幅アンプと、該信号増幅アンプの第２の入力端子に接続する基準電源と、を有する固体撮像装置において、
前記第１のソースフォロワアンプは一導電型の入力トランジスタと負荷手段とからなり、前記基準電源は前記第１のソースフォロワアンプと同じ導電型の入力トランジスタと負荷手段とからなる第２のソースフォロワアンプを含むことを特徴とする。
【手続補正４】
【補正対象書類名】明細書
【補正対象項目名】００１１
【補正方法】変更
【補正の内容】
【００１１】
また本発明の固体撮像装置は、光電変換素子と、該光電変換素子からの信号を受ける第１のソースフォロワアンプと、該第１のソースフォロワアンプから出力された信号を第１の転送トランジスタを介して受ける第１の保持容量と、該第１の保持容量に入力端子が接続した第２のソースフォロワアンプと、該第２のソースフォロワアンプから出力される信号を第２の転送トランジスタを介して受ける第２の保持容量と、前記第２のソースフォロワアンプから出力される信号を第３の転送トランジスタを介して受ける第３の保持容量と、前記第２保持容量に保持された信号を受ける第１の入力端子と基準電圧を入力する第２の入力端子を有する第１の信号増幅アンプと、前記第３保持容量に保持された信号を受ける第３の入力端子と基準電圧を入力する第４の入力端子を有する第２の信号増幅アンプと、前記第１及び第２の信号増幅アンプの第２の入力端子及び第４の入力端子に接続する基準電源とを有する固体撮像装置において、
前記第１及び第２のソースフォロワアンプの少なくとも一方は一導電型の入力トランジスタと負荷手段とからなり、前記基準電源は前記第１及び第２のソースフォロワアンプの少なくとも一方と同じ導電型の入力トランジスタと負荷手段とからなる第３のソースフォロワアンプを含むことを特徴とする。